(57)【特許請求の範囲】
【請求項１】
扉の基端側の上下の同一線上に埋設し、スピンドルを出没可能に配設した蝶番スピンドル部と、開口枠の蝶番スピンドル部と対峙する位置に埋設し、突出したスピンドルが嵌挿されて、扉を開閉可能に支持する蝶番本体部とからなる蝶番において、前記蝶番スピンドル部を、スピンドルケース本体と、スピンドルケース本体内に抜け止め状に、かつばねの付勢力を受けて出没可能に嵌挿したスピンドルと、スピンドルケース本体内にスピンドルを没入した状態で保持し、扉の端面に形成したロッド挿入孔から操作ロッドを挿入して押し操作することにより、前記保持状態が解除されるようにしたストッパとから構成するとともに、前記蝶番本体部を、スピンドルを嵌挿するボスを備えた蝶番本体と、蝶番本体内に揺動可能に支持し、蝶番本体部のカム押孔から操作ロッドを挿入して押し操作することにより、スピンドルを没入操作するカムとから構成したことを特徴とする蝶番。
【発明の詳細な説明】
【０００１】
【発明の属する技術分野】
本発明は、蝶番に関し、特に、扉の外表面に露出することなく扉取付部の外観をすっきりさせるとともに、扉の取り付け、取り外しを簡単に行え、かつ扉を内開き、外開きのいずれにも開閉可能にした蝶番に関するものである。
【０００２】
【従来の技術】
従来、玄関や部屋の出入口部に取り付けられる扉は、開口枠と扉間に蝶番を取り付けて開閉可能にされている。
この蝶番は、通常、２枚の蝶番片を一本の軸にて開閉可能に枢着し、この蝶番片を、開口枠と扉にそれぞれビス止めするようにしている。
【０００３】
【発明が解決しようとする課題】
ところで、上記従来の蝶番は、ステンレス鋼、真鍮、アルミ合金などの材質で、必要に応じて、外表面に塗装あるいは鍍金を施したり、さらには、種々のデザインを施したりするようにしていた。
しかしながら、蝶番は、いくら綺麗に、豪華に製作するようにしても、ビス止めによって開口枠と扉間に、かつ扉外部から見えるところに取り付けられるため、扉取付部の外観がすっきりせず、また、扉の取り付け、取り外しには、取付ビスを締め付けあるいは緩めて外さねばならず、手数がかかるという問題があった。
また、従来の蝶番は、扉を内開きか、外開きかのいずれか一方に開閉できるように予め設定して取り付けているため、部屋の家具配置等の変更等にて扉の開閉方向を変更した方が部屋の使い勝手が良くなる場合でも、一旦取り付けた扉は、後でその開閉方向を変更することができず、使用勝手が悪いという問題があった。
【０００４】
本発明は、上記従来の蝶番の有する問題点に鑑み、扉の外表面に蝶番が一切露出することなく扉取付部の外観をすっきりさせるとともに、扉の取り付け、取り外しを簡単に行うことができ、かつ内開き、外開きのいずれにも開閉できる蝶番を提供することを目的とする。
【０００５】
【課題を解決するための手段】
上記目的を達成するため、本発明の蝶番は、扉の基端側の上下の同一線上に埋設し、スピンドルを出没可能に配設した蝶番スピンドル部と、開口枠の蝶番スピンドル部と対峙する位置に埋設し、突出したスピンドルが嵌挿されて、扉を開閉可能に支持する蝶番本体部とからなる蝶番において、前記蝶番スピンドル部を、スピンドルケース本体と、スピンドルケース本体内に抜け止め状に、かつばねの付勢力を受けて出没可能に嵌挿したスピンドルと、スピンドルケース本体内にスピンドルを没入した状態で保持し、扉の端面に形成したロッド挿入孔から操作ロッドを挿入して押し操作することにより、前記保持状態が解除されるようにしたストッパとから構成するとともに、前記蝶番本体部を、スピンドルを嵌挿するボスを備えた蝶番本体と、蝶番本体内に揺動可能に支持し、蝶番本体部のカム押孔から操作ロッドを挿入して押し操作することにより、スピンドルを没入操作するカムとから構成したことを特徴とする。
【０００６】
この蝶番は、扉の基端側の上下の同一線上に埋設した蝶番スピンドル部の出没可能としたスピンドルを、開口枠の蝶番スピンドル部と対峙する位置に埋設した蝶番本体部に嵌挿することにより、扉を開閉可能に支持するようにしているので、蝶番が扉の外表面に露出することがなく、また、扉を内開きも、外開きにも開閉することができる。
そして、この蝶番は、スピンドルを出没操作するだけで、扉を開口枠に取り付けたり、取り外すことが簡単にできる。
【０００７】
さらに、蝶番スピンドル部を扉に簡単に埋設することができるとともに、ストッパによってスピンドルケース本体内にスピンドルを没入した状態で保持することで、開口枠への扉の取り付け、取り外しを簡易に行うことができる。
【０００８】
また、蝶番本体部を開口枠に簡単に埋設することができるとともに、カムによってスピンドルを没入操作することで、開口枠からの扉の取り外しを簡易に、かつ迅速に行うことができる。
【０００９】
【発明の実施の形態】
以下、本発明の蝶番の実施の形態を図面に基づいて説明する。
【００１０】
図１〜図１０に、本発明の蝶番の一実施例を示す。
この蝶番は、扉Ｄの基端側の上下の同一線上に埋設し、スピンドル２を出没可能に配設した蝶番スピンドル部Ａと、開口枠Ｋの蝶番スピンドル部Ａと対峙する位置に埋設し、突出したスピンドル２が嵌挿されて、扉Ｄを開閉可能に支持する蝶番本体部Ｂとから構成される。
【００１１】
扉Ｄの基端側の上下の同一線上に埋設される蝶番スピンドル部Ａは、図２及び図４に示すように、外周面に２本のリング溝１ｄ、１ｅを形成し、内部にスピンドル２を嵌挿する孔１ｈを有する筒状に形成したスピンドルケース本体１を備える。
この２本のリング溝１ｄ、１ｅは、後述の浅溝１ｃと透孔１ｆにかけて嵌挿するストッパ３が、シーソー状に揺動しても、スピンドルケース本体１から離脱しない位置に形成する。
そして、スピンドルケース本体１の開口端側の外周部に取付フランジ１ａを一体に形成し、スピンドルケース本体１の表面にスピンドル２の摺動範囲を規制するガイド溝１ｂをスピンドルケース本体１の長手方向に沿って形成する。
また、ガイド溝１ｂに沿って、その下部位置に、ストッパ３を嵌挿するための浅溝１ｃと透孔１ｆとを形成するとともに、浅溝１ｃの内底部で透孔１ｆとの連接部には傾斜面１ｇを形成する。
また、スピンドルケース本体１を、扉Ｄの基端側の上下に形成した蝶番取付孔Ｈ内に埋設した状態で、廻り止め状に固定できるように、スピンドルケース本体１の外周部には、取付フランジ１ａに近接して係止爪１ｓを形成する。
【００１２】
スピンドルケース本体１の孔１ｈ内に嵌挿されるスピンドル２は、図５に示すように、扉Ｄを開閉可能に支持できる長さと直径を備え、下端にストッパ３の先端によって係止できるように有段状に係止爪２ａを形成し、下端内部にばね嵌挿穴２ｂを形成し、外周面にはスピンドル２の軸心と直交する方向にガイド嵌挿穴２ｃを形成する。
このスピンドル２は、スピンドルケース本体１の孔１ｈ内に許容された誤差範囲内で、がたつくことなく出没可能に嵌挿できる外径を有するとともに、突出時、スピンドル２の先端が蝶番本体部Ｂ内に嵌挿され、扉Ｄを開閉可能に支持できるように形成するものとする。
【００１３】
また、スピンドル２は、スピンドルケース本体１の孔１ｈの内底部に挿入したばね４によって付勢されるが、この付勢力によってスピンドルケース本体１より抜け出ないように、ガイド嵌挿穴２ｃにガイド５を嵌挿するようにする。
このガイド５は、ガイド嵌挿孔２ｃ内にばね６を介して嵌挿し、常にばね６の付勢力を受けてガイド５の先端小径部５ａが突出するようにし、このガイド５の先端小径部５ａをガイド溝１ｂに嵌挿し、これにより、ガイド５がスピンドル２からの抜け出ることを防止するとともに、スピンドル２がスピンドルケース本体１から抜け出ることを防止するようにする。
【００１４】
また、スピンドルケース本体１には、ストッパ３が配設される。
ストッパ３は、図６に示すように、薄い金属片で以て、スピンドル２が凹面となるように、やや湾曲させて形成するようにする。
このストッパ３は、スピンドルケース本体１の浅溝１ｃと透孔１ｆにかけて嵌挿し、かつリング溝１ｄ、１ｅに嵌合したばね鋼製のストッパ止め輪７、８にてスピンドルケース本体１から離脱しないように、かつシーソー状に揺動可能に、そして、通常は、図３（Ｃ）に示すように、やや傾いて支持されるようにする。
この場合において、ストッパ３は、スピンドルケース本体１の浅溝１ｃの内底部に形成した傾斜面１ｇにより揺動する角度が規制される。
このストッパ３の揺動角及びスピンドルケース本体１内での位置関係は、図３（Ａ）に示すように、スピンドルケース本体１の孔１ｈ内にスピンドル２が完全に没入した状態で、ストッパ３の先端によってスピンドル２の係止爪２ａが係止されるように定める。
また、ストッパ３の基端外側面を、図３（Ｂ）に示すように、外部、具体的には、扉Ｄの端面に形成したロッド挿入孔Ｄｈから操作ロッドＬを挿入し、押し操作することにより、ストッパ３が揺動し、ストッパ３の先端と係止爪２ａとの係止が解除されるように構成する。
【００１５】
一方、開口枠Ｋの蝶番スピンドル部Ａと対峙する位置に埋設される蝶番本体部Ｂは、図２及び図７〜図９に示すように、開口枠Ｋに埋設される蝶番本体１０と、この蝶番本体１０内に軸１２にて揺動可能に支持されたカム１１を備える。
【００１６】
蝶番本体１０は、開口枠Ｋに固定される取付鍔１０ａの裏面側に、開口枠Ｋに埋設される胴部１０ｂを、取付鍔１０ａより小形になるように一体に形成する。
この胴部１０ｂは、図８（Ｂ）、（Ｃ）に示すように、一端側にスピンドル２を嵌挿する孔１０ｈを有するボス１０ｃと、このボス１０ｃの外周面に連設し、かつ溝１０ｍを形成して互いに対峙するように配設するカム支持片１０ｄ、１０ｅとより形成し、このカム支持片１０ｄ、１０ｅに、軸孔１０ｉを形成する。
この溝１０ｍは、カム１１が軸孔１０ｉに挿通した軸１２により揺動可能となるようにその幅を定めるとともに、溝１０ｍの端部位置に、取付鍔１０ａを貫通するように、カム押孔１０ｆを形成する。
このカム押孔１０ｆとボス１０ｃの孔１０ｈとは、溝１０ｍの長手軸心上にその中心が位置するように形成する。
なお、１０ｇは取付鍔１０ａに形成した取付用ビス孔である。
【００１７】
カム１１は、図９に示すように、平板状で、略中央に形成した軸孔１１ｈに軸１２を挿通し、蝶番本体１０に揺動可能に支持されるようにし、その一端側をスピンドル２の頭部を押圧するスピンドル押片１１ａに、他端側を操作ロッドＬにて押圧されるロッド押片１１ｂに形成する。
【００１８】
次に、この蝶番の組立方法及びその動作について説明する。
ストッパ３をスピンドルケース本体１の外周部に、また、内部にばね４を介してスピンドル２をガイド５にて抜け止め状に嵌挿した蝶番スピンドル部Ａを扉Ｄの基端側の上下の同一線上にそれぞれ埋設固定する。
この場合、スピンドル２をスピンドルケース本体１内にばね４の付勢力に抗して押し込むことにより、ストッパ３の先端によってスピンドルの係止爪２ａが係止され、スピンドル２がスピンドルケース本体１内に没入された状態にしておく。
【００１９】
また、カム１１を揺動可能に配設した蝶番本体部Ｂを、スピンドル嵌挿孔１０ｈが扉Ｄに埋設した蝶番スピンドル部Ａのスピンドル２と対峙する位置に、開口枠Ｋに埋設する。
【００２０】
次に、扉Ｄを開口枠Ｋに取り付けるため、扉Ｄを、開口枠Ｋの所定位置に設置し、蝶番本体部Ｂのスピンドル嵌挿孔１０ｈと蝶番スピンドル部Ａのスピンドル２の位置を合わせて、扉Ｄの端面に形成したロッド挿入孔Ｄｈより操作ロッドＬを挿入し、その先端にてストッパ３の基端外側面を押し操作することにより、ストッパ３を揺動させ、スピンドル２の係止爪２ａとの係止を解除する。
これにより、ばね４の付勢力にてスピンドル２はスピンドルケース本体１より突出する。なお、スピンドル２に嵌挿したガイド５の小径軸部５ａが、ガイド溝１ｂに嵌挿されているので、ガイド溝１ｂの端部位置にこのガイド小径軸部５ａが当接すると、スピンドル２が停止し、抜け出ることが防止される。
そして、スピンドルケース本体１から突出したスピンドル２の頭部が、蝶番本体部Ｂ側のスピンドル嵌挿孔１０ｈに嵌挿される。
【００２１】
このようにして、扉Ｄの上下に設けた各蝶番スピンドル部Ａのスピンドル２、２を突出させることにより、扉Ｄを、開口枠Ｋに、スピンドル２、２を軸として開閉可能に取り付けることができる。
【００２２】
このとき、スピンドル２の突出によりスピンドル嵌挿孔１０ｈ内にスピンドル２の頭部が、例えば、１０ｍｍ〜３０ｍｍ程度嵌挿されると、図２に示すように、スピンドル２の頭部によって、スピンドル嵌挿孔１０ｈ上に位置するカム１１のスピンドル押片１１ａが押し上げられる。
これにより、カム１１は、軸１２を中心に揺動し、反対側のロッド押片１０ｂが押し下げられた状態で保持される。
【００２３】
一方、扉Ｄを開口枠Ｋから取り外すには、扉Ｄを開いた状態にすることにより開口枠Ｋに埋設した蝶番本体部Ｂのカム押孔１０ｆを露出させ、このカム押孔１０ｆに操作ロッドＬを挿入して、カム１１のロッド押片１１ｂを押し操作することによって、カム１１のロッド押片１１ｂが押し上げられる。
これにより、カム１１は、軸１２を中心に揺動し、反対側のスピンドル押片１１ａを介して、スピンドル２の頭部が押し下げられる。
このようにして、スピンドル２をスピンドルケース本体１内にばね４の付勢力に抗して押し込むことにより、ストッパ３の先端によってスピンドルの係止爪２ａが係止され、スピンドル２がスピンドルケース本体１内に没入された状態になる。
【００２４】
これにより、スピンドル２は、スピンドルケース本体１内に没入した状態で保持され、開口枠Ｋに埋設した蝶番本体部Ｂとの係止が解除される。
この操作を扉Ｄの基端側の上下に埋設した蝶番スピンドル部Ａ、Ａの両方に行うことにより、扉Ｄを開口枠Ｋから取り外すことができる。
【００２５】
上記の場合において、扉Ｄの上下に埋設した蝶番スピンドル部Ａ、Ａの操作順序は特に限定されず、上下いずれの側からでも操作することができる。
【００２６】
ところで、扉Ｄをスピンドル２、２を軸として開閉可能に取り付けた場合、扉Ｄを円滑に開閉できるようにするためには、扉Ｄの基端側の面を曲面に形成したり、扉Ｄの基端側の面と開口枠Ｋとの間に所定の隙間を形成する必要がある。
これに対処するために、図１０に示すように、扉Ｄの基端側の面に面取りＤａを施すとともに、開口枠Ｋに形成した凹部９０にばね９２の付勢力を受けるようにして出没可能に扉当て９１を配設するように構成することができ、これにより、扉Ｄの基端側の面と開口枠Ｋとの間に隙間が生じないようにすることができる。
【００２７】
図１１〜図１２に、蝶番の参考例を示す。
この蝶番は、上記実施例の蝶番と同様、扉Ｄの基端側の上下の同一線上に埋設し、スピンドル２を出没可能に配設した蝶番スピンドル部Ａと、開口枠Ｋの蝶番スピンドル部Ａと対峙する位置に埋設し、突出したスピンドル２が嵌挿されて、扉Ｄを開閉可能に支持する蝶番本体部Ｂとから構成される。
【００２８】
この場合において、扉Ｄの基端側の上下の同一線上に埋設される蝶番スピンドル部Ａは、内部にスピンドル２を嵌挿する孔１ｈを有する筒状に形成したスピンドルケース本体１と、スピンドル２とを備える。
【００２９】
そして、スピンドルケース本体１の開口端側の外周部に取付フランジ１ａを一体に形成し、スピンドルケース本体１の表面にスピンドル２の摺動範囲、すなわち、出没範囲を規制するための操作片５０を挿通するガイド溝１ｂをスピンドルケース本体１の長手方向に沿って形成する。
また、スピンドルケース本体１を、扉Ｄの基端側の上下に形成した蝶番取付孔Ｈ内に埋設した状態で、廻り止め状に固定できるように、スピンドルケース本体１の外周部には、取付フランジ１ａに近接して係止爪１ｓを形成する。
【００３０】
スピンドル２は、扉Ｄを開閉可能に支持できる長さと直径を備え、下端内部にばね嵌挿穴２ｈを形成し、外周面にはスピンドル２の軸心と直交する方向にストッパボール嵌挿穴２ｅ及び操作片嵌挿穴２ｆとを形成する。
このスピンドル２は、スピンドルケース本体１の孔１ｈ内に許容された誤差範囲内で、がたつくことなく出没可能に嵌挿できる外径を有するとともに、突出時、スピンドル２の先端が蝶番本体部Ｂ内に嵌挿され、扉Ｄを開閉可能に支持できるように形成するようにする。
【００３１】
また、スピンドル２は、スピンドルケース本体１の孔１ｈの内底部とばね嵌挿穴２ｈ間に挿入したばね４によって付勢されるが、この付勢力によってスピンドルケース本体１より抜け出ないように、ガイド溝１ｂにスピンドル２に突設した操作片５０を嵌挿するようにする。
この操作片５０は、スピンドル２の操作片嵌挿穴２ｆに強嵌合又は螺合にて植設するように基端を小径部に、先端に操作ロッドを挿入可能なように穴を穿った大径部に形成するとともに、大径部をガイド溝１ｂに摺動可能に嵌挿することにより、操作片５０によって、スピンドル２がスピンドルケース１から抜け出ることを防止するようにする。
【００３２】
スピンドル２のストッパボール嵌挿穴２ｅには、ばね６０によりストッパボール６１を、ストッパボール嵌挿穴２ｅより押し出す方向に付勢するようにして嵌挿するようにする。
そして、スピンドルケース本体１には、図１２（Ａ）に示すように、スピンドル２がスピンドルケース本体１内に没入したとき、ストッパボール６１が嵌合することによって、スピンドル２が没入した状態に保持されるように、ストッパ孔１ｊを形成する。
【００３３】
また、スピンドル２を、スピンドルケース本体１内に没入、保持した状態から、蝶番本体Ｂ側に突出、嵌挿させるには、操作片５０を操作ロッドで操作することにより、スピンドル２を引き出すようにして、ストッパボール６１のストッパ孔１ｊへの嵌合を解除するようにする。
これにより、図１２（Ｂ）に示すように、ばね４の作用によって、スピンドル２の先端は、スピンドルケース本体１内より突出するものとなる。
【００３４】
一方、開口枠Ｋの蝶番スピンドル部Ａと対峙する位置に埋設される蝶番本体部Ｂは、図１１に示すように、開口枠Ｋに埋設される蝶番本体１０を備える。
蝶番本体１０は、開口枠Ｋに固定される取付鍔１０ａの裏面側に、開口枠Ｋに埋設される、スピンドル２を嵌挿する孔１０ｈを有する胴部１０ｂを、取付鍔１０ａより小形になるように一体に形成する。
なお、スピンドル嵌挿孔１０ｈは、胴部１０ｂに有底状に形成することも、あるいは胴部１０ｂを貫通するように形成することもできる。
【００３５】
次に、この蝶番の組立方法及びその動作について説明する。
スピンドル２のストッパボール嵌挿穴２ｅ内に、ばね６０及びストッパボール６１を嵌挿し、スピンドル２を、内部にばね４を嵌挿したスピンドルケース本体１の孔１ｈ内に挿入するとともに、ガイド溝１ｂに操作片５０を嵌挿、突設した蝶番スピンドル部Ａを扉Ｄの基端側の上下の同一線上にそれぞれ埋設固定する。
この場合、操作片５０を操作して、スピンドル２をスピンドルケース本体１内にばね４の付勢力に抗して押し込むことにより、ストッパボール６１がストッパ孔１ｊに嵌合され、スピンドル２がスピンドルケース本体１内に没入された状態にしておく。
【００３６】
また、カム１１を揺動可能に配設した蝶番本体部Ｂを、スピンドル嵌挿孔１０ｈが扉Ｄに埋設した蝶番スピンドル部Ａのスピンドル２と対峙する位置に、開口枠Ｋに埋設する。
【００３７】
次に、扉Ｄを開口枠Ｋに取り付けるため、扉Ｄを、開口枠Ｋの所定位置に設置し、蝶番本体部Ｂのスピンドル嵌挿孔１０ｈと蝶番スピンドル部Ａのスピンドル２の位置を合わせて、扉Ｄの端面に形成したガイド溝１ｂから操作片５０を操作ロッドで操作することにより、スピンドル２を引き出すようにして、ストッパボール６１のストッパ孔１ｊへの嵌合を解除するようにする。
これにより、ばね４の付勢力にてスピンドル２はスピンドルケース本体１より突出する。なお、スピンドル２に配設した操作片５０が、ガイド溝１ｂに嵌挿されているので、ガイド溝１ｂの端部位置にこの操作片５０が当接すると、スピンドル２が停止し、抜け出ることが防止される。
そして、スピンドルケース本体１から突出したスピンドル２の頭部が、蝶番本体部Ｂ側のスピンドル嵌挿孔１０ｈに嵌挿される。
【００３８】
このようにして、扉Ｄの上下に設けた各蝶番スピンドル部Ａのスピンドル２、２を突出させることにより、扉Ｄを、開口枠Ｋに、スピンドル２、２を軸として開閉可能に取り付けることができる。
【００３９】
一方、扉Ｄを開口枠Ｋから取り外すには、扉Ｄを開いた状態にすることにより扉Ｄの端面に形成したガイド溝１ｂが露出する。この縦長孔状のガイド溝１ｂより、操作ロッドを挿入し、操作片５０を操作ロッドで操作することにより、スピンドル２をスピンドルケース本体１内にばね４の付勢力に抗して押し込むことにより、ストッパボール６１がストッパ孔１ｊに嵌合され、スピンドル２がスピンドルケース本体１内に没入された状態になる。
【００４０】
これにより、スピンドル２は、スピンドルケース本体１内に没入した状態で保持され、開口枠Ｋに埋設した蝶番本体部Ｂとの係止が解除される。
この操作を扉Ｄの基端側の上下に埋設した蝶番スピンドル部Ａ、Ａの両方に行うことにより、扉Ｄを開口枠Ｋから取り外すことができる。
【００４１】
上記の場合において、扉Ｄの上下に埋設した蝶番スピンドル部Ａ、Ａの操作順序は特に限定されず、上下いずれの側からでも操作することができる。
【００４２】
なお、本参考例のその他の構成及び動作は、上記実施例の蝶番と同様である。
【００４３】
ところで、上記参考例の蝶番において、スピンドル２の先端がスピンドルケース本体１内より突出した状態を確実に保持できるように、図１３に示す参考例における蝶番スピンドル部の第１変形例のように、スピンドル２の先端がスピンドルケース本体１内より突出したとき、ストッパボール６１が嵌合することによって、スピンドル２が突出した状態に保持されるように、ストッパ孔１ｋを形成することができる。
【００４４】
また、スピンドル２の操作片は、図１４に示す参考例における蝶番スピンドル部の第２変形例のように、ピン状に形成した操作片５１をスピンドル２の操作片嵌挿穴２ｆに嵌入し、操作片５１の先端をスピンドルケース本体１より突出させて、直接操作できるように形成することができる。
【００４５】
これらの変形例のその他の構成及び動作は、上記参考例の蝶番と同様である。
【００４６】
図１５〜図１９に、参考例における蝶番スピンドル部の第３変形例を示す。
この蝶番は、上記実施例及び参考例の蝶番と同様、扉Ｄの基端側の上下の同一線上に埋設し、スピンドル２を出没可能に配設した蝶番スピンドル部Ａと、開口枠Ｋの蝶番スピンドル部Ａと対峙する位置に埋設し、突出したスピンドル２が嵌挿されて、扉Ｄを開閉可能に支持する蝶番本体部Ｂとから構成される。
【００４７】
この場合において、扉Ｄの基端側の上下の同一線上に埋設される蝶番スピンドル部Ａは、内部にスピンドル２を嵌挿する孔１ｈを有する筒状に形成したスピンドルケース本体１と、スピンドル２とを備える。
【００４８】
そして、スピンドルケース本体１には、ピニオン２７を配設するとともに、このピニオン２７と噛合するラックギヤ２６をスピンドル２に形成し、ピニオン２７を回動操作することによりスピンドルケース本体１にスピンドル２を出没可能になるように配設するようにする。
【００４９】
より具体的には、スピンドルケース本体１は、図１５〜図１６に示すように、の内部にスピンドル２を嵌挿する孔１ｈを、また、開口部外周に取付フランジ１ａを形成する。
そして、スピンドル２を嵌挿する孔１ｈの内周面の長手方向に沿って、ラックギヤ嵌挿溝１ｐを、また、その上方のスピンドルケース本体１の長手方向に沿った２箇所に、後述のストッパボール６１が嵌挿される孔１ｊ、１ｋを形成し、さらに、この孔１ｊに近接した位置に、スピンドルケース本体１の周壁を横方向に貫通するように大小異径のギヤ嵌挿孔１ｍ、１ｎを形成する。
ラックギヤ嵌挿溝１ｐは、スピンドル２が回転することなくスピンドルケース本体１の長手方向にのみ摺動するように、その長さ及び幅が定められる。
【００５０】
スピンドル２は、図１７に示すように、棒状をしたスピンドル本体片２Ａと、ラックギヤ２６を形成したラックギヤ片２Ｂとより構成され、その全長を、スピンドルケース本体１内に完全に没入できるように設定する。
【００５１】
スピンドル本体片２Ａには、その外周面にストッパボール嵌挿穴２１を形成し、このストッパボール嵌挿穴２１に、ばね６０によりストッパボール６１を、ストッパボール嵌挿穴２１より押し出す方向に付勢するようにして嵌挿するようにする。
この場合、ストッパボール嵌挿穴２１は、スピンドルケース本体１の孔１ｊ、１ｋと一致する方向に形成するようにする。
そして、スピンドルケース本体１に形成した孔１ｊ、１ｋにストッパボール６１が嵌合することによって、スピンドル２が没入した状態又は突出した状態に選択的に安定して保持されるようにする。
また、スピンドル本体片２Ａの底部には、細径の係片２２を突設し、この係片２２をラックギヤ片２Ｂに形成した孔２３に挿入して先端をかしめることにより、スピンドル本体片２Ａ及びラックギヤ片２Ｂが一体化されるようにする。
【００５２】
ラックギヤ片２Ｂは、長手方向の両側面をラックギヤ嵌挿溝１ｐに嵌挿できる幅を有する側片２４、２４に形成するとともに、両側片２４、２４を接続する端片２５にスピンドル本体片２Ａに突設した係片２２を挿入する孔２３を形成し、さらに、一方の側片２４の内側にラックギヤ２６を形成し、孔２３内に挿入される係片２２の先端をかしめてスピンドル本体片２Ａと一体化されるようにする。
この場合、ラックギヤ２６は、スピンドルケース本体１内に嵌挿したピニオン２７と互いに噛合するように、スピンドル本体片２Ａとラックギヤ片２Ｂの向きを調整するようにする。
【００５３】
ピニオン２７は、図１８に示すように、スピンドルケース本体１の外径とほぼ同じ長さと、基端２７ａをスピンドルケース本体１に形成した大径の孔１ｍに軸支される外径に、先端２７ｄをスピンドルケース本体１に形成した小径の孔１ｎに軸支させる外径に形成し、その間の外周面にギヤ２７ｂを刻設するようにする。
また、ピニオン２７の基端２７ａの端面には、扉Ｄの外部から挿入される六角レンチ等の工具（図示省略）によりピニオン２７を回動操作するための操作穴２７ｃを形成するようにする。
【００５４】
なお、本参考例においては、スピンドル２をスピンドル本体片２Ａ及びラックギヤ片２Ｂとで構成するようにしたが、図１９に示す変形例のように、スピンドル２を単体の部材で以て構成することができる。
この場合、スピンドル２の下部にピニオン２７を挿入する空間を形成するとともに、スピンドル２の側部の一部を切り欠き、この切欠面にラックギヤ２６を刻設するようにする。
【００５５】
図２０に、参考例における蝶番スピンドル部の第４変形例を示す。
この第４変形例の蝶番スピンドル部は、基本的には、第３変形例と同様の形態を有するが、第３変形例においては、スピンドル２の出没動作をピニオンの回動操作により、これと噛合したラックギヤ片２Ｂを上下させて行うようにしているのに対し、この第４変形例においては、スピンドル２の突出動作をばね２９の付勢力により、没入動作をピニオン２７及びラックギヤ片２Ｂにて行うようにしている点で相違するものである。
そして、この第４変形例においては、開口部外周に取付フランジ１ａを有する筒状に形成したスピンドルケース本体１と、これに出没可能に嵌挿するスピンドル２とよりなり、スピンドルケース本体１に係止したスプリング止具２８にて支持したばね２９によりスピンドル２の下端を押圧、支持するように構成している。
【００５６】
スピンドル２は、第３変形例と同様に、棒状のスピンドル本体片２Ａと内側にラックギヤ２６を刻設したラックギヤ片２Ｂとを係片２２をかしめることにより一体とし、スピンドルケース本体１に回動自在に支持したピニオン２７を、前記ラックギヤ片２Ｂ内に貫通し、かつラックギヤ２６と噛合する。そして、このラックギヤ２６の六角孔内に六角レンチ等の工具を差し込みラックギヤ２６を回動させると、これに噛合したラックギヤ片２Ｂを介してスピンドル本体片２Ａをばね圧に抗してスピンドルケース本体内へ没入するようにする。
【００５７】
なお、このスピンドル２はスピンドルケース本体内面に刻設したラックギヤ嵌挿溝１ｐに沿って移動するとともに、底部を支持しているばね２９の弾発力にて常時スピンドルケース本体１より突出するようになっている。そして、スピンドル２を図１５（Ａ）に示すようにスピンドルケース本体内へ没入した状態を保持するため、図１９に示すと同じようにしてスピンドル本体片２Ａにばね圧下にボール６１を嵌挿し、このボール６１がスピンドル没入位置でスピンドルケース本体１に形成したストッパ孔１ｊに嵌合するようにする。
【００５８】
変形例のその他の基本的な構成及び動作は、スピンドル２を出没させる機構が異なる点を除き、上記参考例の蝶番と同様である。
【００５９】
図２１〜図２３に、参考例における蝶番本体部の第１変形例を示す。
この蝶番は、上記実施例及び参考例の蝶番と同様に、扉Ｄの基端側の上下の同一線上に埋設し、スピンドル２を出没可能に配設した蝶番スピンドル部Ａとともに用いられる蝶番本体部Ｂに関するもので、開口枠Ｋの蝶番スピンドル部Ａと対峙する位置に埋設し、突出したスピンドル２が嵌挿されるスピンドル嵌挿孔１０ｈの位置を容易に調整することができ、開口枠Ｋへ扉Ｄを正確に取り付けることができるようにしたものである。
【００６０】
この場合において、蝶番本体部Ｂは、開口枠Ｋの蝶番スピンドル部Ａと対峙する位置に埋設固定する蝶番本体１０Ａと、この蝶番本体１０Ａに対し摺動可能に配設し、蝶番本体１０Ａの任意の位置に固定できるようにしたスピンドル嵌挿孔１０ｈを形成した摺動台１０Ｂとから構成される。
【００６１】
蝶番本体１０Ａは、図２１及び図２２に示すように、開口枠Ｋに埋設し、ビスにて固定される取付鍔１０ａの裏面に胴部１０ｃを一体に形成するとともに、取付鍔１０ａに、取付用ビス孔１０ｇ、１０ｇ、調整用孔１０ｒ、メタル嵌挿孔１０ｐを形成する。
この胴部１０ｃには、下底面が開口し、カム支持片１０ｄと、ナットＮを廻り止め状に嵌挿支持する切溝１０ｓを形成し、この切溝１０ｓ内にボルト挿通孔１０ｔを、上部と下部とが異径となるように形成する。
なお、メタル嵌挿孔１０ｐ、調整用孔１０ｒ及び切溝１０ｓは、同一直線上に形成するようにする。
また、メタル嵌挿孔１０ｐ及び調整用孔１０ｒは長孔状に形成し、これにより、蝶番本体１０Ａに対し摺動台１０Ｂを移動調整可能となるようにする。
【００６２】
摺動台１０Ｂは、図２１及び図２３に示すように、鍔付短管状のメタル１０Ｕとスライド台１０Ｗとより構成される。
メタル１０Ｕは、短管状の胴部１０１内にスピンドル嵌挿孔１０ｈを形成するとともに、端部の外周に鍔１０２を一体に形成したもので、胴部１０１を蝶番本体１０Ａのメタル嵌挿孔１０ｐ内にその長手方向に摺動調整可能に嵌挿できるようにスライド台１０Ｗと一体化する。
このスライド台１０Ｗは、カム支持片１０ｄの一端に短管状のメタル抱持部１０３を一体に形成し、この内部にメタル１０Ｕの胴部１０１を挿入し、胴部１０１の端部をかしめて、メタル１０Ｕを固定するようにする。
また、スライド台１０Ｗのカム支持片１０ｄは、切溝１０ｓ内に摺動可能に嵌挿できるようにその幅と長さを定め、その内部にカム１１（図７参照）が揺動可能に挿通する溝１０ｍを形成する。
溝１０ｍを有するカム支持片１０ｄには、カム１１を揺動可能に支持するための軸孔１０ｉを形成するとともに、溝１０ｍの一部にカム押孔１０ｆを形成するようにする。
また、カム支持片１０ｄには、長孔状の調整用取付孔１０４を形成し、ボルト挿通孔１０ｔ内に挿入する固定用ねじ１０５が、この調整用取付孔１０４を貫通し、ナットＮと螺合することにより、摺動台１０Ｂを蝶番本体１０Ａの任意の位置に固定できるようにする。
【００６３】
スライド台１０Ｗのメタル抱持部１０３にメタル１０Ｕを嵌合固定してなる摺動台１０Ｂと、蝶番本体１０Ａとを組み立てるには、蝶番本体１０Ａの裏側からスライド台１０Ｗをあてがい、切溝１０ｓ内にカム支持片１０ｄを嵌合するとともに、表側からメタル１０Ｕをメタル嵌挿孔１０ｐ及びメタル抱持部１０３内に嵌挿し、メタル１０Ｕの胴部１０１の先端をかしめて、メタル１０Ｕとスライド台１０Ｗとを一体とするようにする。
【００６４】
これにより、蝶番本体１０Ａに対し、摺動台１０Ｂは、長孔状のメタル嵌挿孔１０ｐ内で摺動可能となる。
そして、スピンドル嵌挿孔１０ｈの位置を調整した後、ナットＮを締め付けることにより、蝶番本体１０Ａに摺動台１０Ｂを固定することにより、開口枠Ｋへ扉Ｄを正確に取り付けることができるものとなる。
【００６５】
また、摺動台１０Ｂの溝１０ｍには、カム１１を軸孔１０ｉに挿通する軸１２により揺動可能に取り付けるが、その作用は、上記実施例の蝶番と同様である。
【００６６】
図２４〜図２９に、参考例における蝶番本体部の第２変形例を示す。
この蝶番本体部の第２変形例は、参考例に示すように、開口枠Ｋの蝶番スピンドル部Ａと対峙する位置に埋設し、突出したスピンドル２が嵌挿されるスピンドル嵌挿孔の位置を扉Ｄの幅方向に容易に調整することを可能とし、これにより開口枠Ｋに対し扉Ｄを正確に、かつ扉の外周の隙間を均等となるように取り付けることができるようにしたものである。
【００６７】
この場合において、蝶番本体部Ｂは、開口枠Ｋに埋設する蝶番本体１０Ａと、この蝶番本体１０Ａの裏側に当接し、かしめ等にて蝶番本体１０Ａと一体となるよう組み立てる本体カバー１０Ｆと、蝶番本体１０Ａ、本体カバー１０Ｆ間に摺動可能に嵌挿し、スピンドル嵌挿孔の位置を調整可能とした摺動台１０Ｂと、摺動台１０Ｂのスピンドル嵌挿孔内に嵌挿するメタル１０Ｅと、摺動台１０Ｂの移動調整を行う調整カム１０Ｄ及びばね１２５とから構成される。
【００６８】
蝶番本体１０Ａは、図２４〜図２５に示すように、開口枠Ｋに埋設し、調整カム１０Ｄの一部を嵌挿し、回動可能とするカム嵌挿孔１１１と、長円形をしたメタル調整孔１１２と、蝶番本体１０Ａのほぼ中央部で固定用のビス等を挿通するための取付孔１３とを穿設し、かつ蝶番本体１０Ａの裏面側においては、カム嵌挿孔１１１の外周部位置に座刳り状の窪み１１５を形成するとともに、この窪み１１５の内面周回方向に沿って定間隔に凸形の係止爪１１６，１１６を、例えば、図示のように９０度間隔で４ヶ所に形成し、さらに、蝶番本体１０Ａの裏面側長手方向の両端部に、本体カバー１０Ｆの位置決めと固定を行うための係止突起１１７，１１７を突設して形成する。
また、座刳り状の窪み１１５は、内部に調整カム１０Ｄの円盤形をした鍔片を嵌挿できる円形の窪みとし、その深さは、好ましくは調整カム１０Ｄの円盤鍔片の厚さとほぼ等しいようにする。
さらに、メタル調整孔１１２は、長孔で、スピンドル嵌挿位置を扉Ｄの幅方向に調整可能とする範囲となるようにしてその長さを定める。
【００６９】
蝶番本体１０Ａの裏面側に添わせ一体とする本体カバー１０Ｆは、図２６に示すように、蝶番本体１０Ａとほぼ同じ形状の長円形をしており、この一側面に膨出するように箱部１２０を一体に形成し、この箱部１２０の内窪部１２０ａのほぼ中央位置に、取付ビス孔１２１ａを穿設したボス部１２１を突設形成し、また、箱部１２０の外周に沿って外周鍔１２２を形成し、この外周鍔１２２の長手方向の両端部に、蝶番本体１０Ａの係止突起１１７，１１７と係止し、かしめ等により蝶番本体１０Ａと一体に固定するための切欠１２２ａ，１２２ａを形成する。
また、この本体カバー１０Ｆには、長円形の箱部１２０の内窪部１２０ａの一端側に、浅い窪み１２３を形成する。この浅い窪み１２３内には、ばねに抗して押し下げ可能とする調整カム１０Ｄ、詳しくは、調整カム１０Ｄの円盤鍔片１４０が嵌挿できるようにするとともに、浅い窪み１２３の接線方向に平行するよう２本のばね嵌挿溝１２４，１２４を形成する。
そして、このばね嵌挿溝１２４，１２４にはピアノ線等による棒状のばね１２５，１２５をそれぞれ嵌挿し、このばね１２５，１２５にて、前記調整カム１０Ｄの円盤鍔片１４０の裏面側を支持し、浅い窪み１２３の内面側へ押圧するようにする。
【００７０】
摺動台１０Ｂは、図２４及び図２７に示すように、本体カバー１０Ｆの長円形をした箱部１２０の内部に、摺動可能に嵌挿されるような長円形に形成する。
この摺動台１０Ｂの本体１３０において、その一端側に形成したメタル嵌挿胴１３５内部に、メタル嵌挿孔１３２を有底形に形成するとともに、メタル嵌挿胴１３５の外周部に鍔１３１を形成し、また中央部には本体１３０の長孔方向に沿うように穿孔した長孔１３３と、他端部には本体１３０の長手方向と直交する方向に穿孔した長孔１３４とを形成する。
これにより、調整カム１０Ｄの偏心軸が、長孔１３４内に嵌挿され、調整カム１０Ｄの回動により調整カム１０Ｄの中心より偏心して回転するとき、調整カム１０Ｄの偏心軸の横方向の偏心量を吸収しつつ縦方向の偏心量だけ、摺動台１０Ｂを本体カバー１０Ｆ内で、その長手方向に沿って摺動させるようにする。
【００７１】
調整カム１０Ｄは、図２４及び図２８に示すように、調整カム１０Ｄの本体部分となる円盤鍔片１４０の一端側中央部に、該円盤鍔片径よりも小径で、蝶番本体１０Ａ側のカム嵌挿孔１１１内に回動可能に嵌合されるように円盤形の操作片１４３を突設し、この円盤鍔片１４０の表面側に、蝶番本体側の係止爪１１６のいずれかと係止可能なように、その周回方向に沿って予め定めた間隔又は角度毎に、凹凸を交互に配設した係止爪１４１，１４１を形成し、さらに、操作片１４３の内部にプラスドライバ等を係止して回動できるように回動係止溝１４２を形成し、また、円盤鍔片１４０の裏面側には円盤鍔片１４０の中心に対して予め定めた距離を偏心して偏心軸１４４を突設する。
これにより、調整カム１０Ｄの回動時、偏心軸１４４の偏心量に応じて、該偏心軸１４４を嵌合した摺動台１０Ｂを本体カバー１０Ｆ内にて、その長手方向に沿って移動するようにする。
また、調整カム１０Ｄを、本体カバー１０Ｆの箱部１２０内に嵌挿する際、ばね嵌挿溝１２４内に嵌挿するばね１２５，１２５にて、調整カム１０Ｄの円盤鍔片１４０の裏面側両端部分を支え、かつ蝶番本体側へばね圧により押圧するようにし、さらに調整カム１０Ｄを本体カバー内に押し込むように押圧する時には、このばね１２５，１２５を撓ませ、係止爪１１６，１４１間の係止を解除し、調整カム１０Ｄの時計方向及び反時計方向の何れの方向にも回転可能状態とする。
【００７２】
メタル１０Ｅは、図２４及び図２９に示すように、スピンドル２を嵌挿できるようにした筒状のスピンドル嵌挿胴１５０の内部に、スピンドル嵌挿孔１５１を形成し、このスピンドル嵌挿胴１５０の一端面側に鍔１５２を一体に形成するとともに、鍔１５２の一部を切り欠いて舌片状の係片１５３を形成し、これによりメタル嵌挿胴１３５に形成した係止溝１３６内に係止し、メタル１０Ｅの回り止めとする。
【００７３】
この参考例における蝶番本体部の第２変形例の組み立てについて説明する。
まず、本体カバー１０Ｆの箱部１２０内に、摺動台１０Ｂを嵌挿するとともに、ばね嵌挿溝１２４，１２４にばね１２５，１２５をそれぞれ嵌挿し、次にこの摺動台１０Ｂの長孔１３４内に偏心軸１４４を嵌挿するようにして調整カム１０Ｄを摺動台１０Ｂ上に載置する。
次に、この本体カバー１０Ｆの上方に蝶番本体１０Ａをかぶせるように配設する。この時、本体カバーＦの浅い窪み１２３内に調整カム１０Ｄの円盤鍔片１４０を嵌挿し、カム嵌挿孔１１１内に操作片１４３を嵌挿する。
次に、係止突起１１７或いは切欠１２２ａを備えた外周鍔１２２のいずれか一方をかしめることにより蝶番本体１０Ａと本体カバー１０Ｆとは一体となる。
そして、蝶番本体１０Ａの外側よりメタル１０Ｅをメタル調整孔１１２を経て摺動台１０Ｂのメタル嵌挿孔１３２内に嵌合固定し、蝶番本体部Ｂを組み立てる。
【００７４】
この参考例における蝶番本体の第２変形例において、スピンドル２を嵌挿する位置を扉Ｄの幅方向に沿って調整する場合、ドライバー等にて調整カム１０Ｄを時計方向へ回動させる。この場合、調整カム１０Ｄの係止爪１４１と蝶番本体の係止爪１１６とは、互いに係止され、回転不能となっているので、この両係止爪１４１，１１６間の係止を解除する必要がある。
そこで、この係止爪１４１，１１６間の係止を解除するため、調整カム１０Ｄを本体カバー内に押し込めるように押圧すると、ばね１２５は撓み、調整カム１０Ｄは本体カバー内に押し込められ、係止爪１４１，１１６間の係止が解除され、自由に回転するものとなり、この状態で時計方向又は反時計方向へ回転させて調整するものである。
なお、蝶番本体１０Ａに形成する係止爪１１６と、調整カム１０Ｄに形成する係止爪１４１とを、鋸歯形とすることもできる。この場合は、一方向クラッチの作用をし、調整カム１０Ｄは時計方向へのみ回動し、反時計方向には、係止爪１１４，１１６間が互いに係止されて回転不能となり、また、反時計方向へ回動する場合は、調整カム１０Ｄを本体カバー内に押し込めるように押圧すると、ばね１２５は撓み、調整カム１０Ｄは本体カバー内に押し込められ、係止爪１４１，１１６間の係止が解除され、自由に回転するものとなり、この状態で反時計方向へ回転させて調整することができる。
【００７５】
以上、本発明の蝶番について、実施例及び参考例に基づいて説明したが、本発明は上記実施例に記載した構成に限定されるものではなく、実施例及び参考例に記載した構成を適宜組み合わせる等、その趣旨を逸脱しない範囲において適宜その構成を変更することができるものである。
また、蝶番本体は、扉の上下両方に、上記実施例のものを使用することもできるが、下方の開口枠Ｋに、上記実施例の内いずれか１つを採用し、上方の開口枠Ｋには、図３０に示すような、スピンドルを単に嵌合するだけの簡単な構成のメタルＭを採用することもできる。この場合は、扉の取付調整は、下方の開口枠側に取り付けた蝶番本体部にて行うものである。
【００７６】
【発明の効果】
本発明の蝶番によれば、扉の基端側の上下の同一線上に埋設した蝶番スピンドル部の出没可能としたスピンドルを、開口枠の蝶番スピンドル部と対峙する位置に埋設した蝶番本体部に嵌挿することにより、扉を開閉可能に支持するようにしているので、蝶番が扉の外表面に露出することがなく、扉取付部の外観をすっきりさせることができるとともに、扉を内開きも、外開きにも開閉することができる。
そして、この蝶番は、スピンドルを出没操作するだけで、従来の蝶番のように取付ビスを締め付けあるいは緩めて外すことなく、扉を開口枠に取り付けたり、取り外すことができ、扉の取り付け、取り外しを簡単に行うことができる。
【００７７】
さらに、蝶番スピンドル部を、スピンドルケース本体と、スピンドルケース本体内に抜け止め状に、かつばねの付勢力を受けて出没可能に嵌挿したスピンドルと、スピンドルケース本体内にスピンドルを没入した状態で保持するストッパとから構成することにより、蝶番スピンドル部を扉に簡単に埋設することができるとともに、ストッパによってスピンドルケース本体内にスピンドルを没入した状態で保持することで、開口枠への扉の取り付け、取り外しを簡易に行うことができる。
【００７８】
また、蝶番本体部を、スピンドルを嵌挿するボスを備えた蝶番本体と、蝶番本体内に揺動可能に支持し、スピンドルを没入操作するカムとから構成することにより、蝶番本体部を開口枠に簡単に埋設することができるとともに、カムによってスピンドルを没入操作することで、開口枠からの扉の取り外しを簡易に、かつ迅速に行うことができる。
【図面の簡単な説明】
【図１】  本発明の蝶番を適用した扉及び開口枠を示す説明図で、（Ａ）は正面図、（Ｂ）は平面横断面図である。
【図２】  本発明の蝶番の一実施例を示す正面図である。
【図３】  同動作説明図である。
【図４】  スピンドルケース本体を示し、（Ａ）は正面図、（Ｂ）は断面図、（Ｃ）はＣ−Ｃ線断面図である。
【図５】  スピンドルを示し、（Ａ）は正面図、（Ｂ）は底面図である。
【図６】  ストッパを示し、（Ａ）は正面図、（Ｂ）は底面図である。
【図７】  蝶番本体部のカムの動作説明図である。
【図８】  蝶番本体を示し、（Ａ）は平面図、（Ｂ）は正面図、（Ｃ）は底面図である。
【図９】  カムを示し、（Ａ）は正面図、（Ｂ）は側面図である。
【図１０】  扉及び開口枠を示す断面図である。
【図１１】  蝶番の参考例を示す正面図である。
【図１２】  蝶番スピンドル部を示し、（Ａ）は断面図、（Ｂ）は正面図、（Ｃ）は平面図、（Ｄ）は底面図である。
【図１３】  参考例における蝶番スピンドル部の第１変形例を示し、（Ａ）は断面図、（Ｂ）は正面図、（Ｃ）は平面図、（Ｄ）は底面図である。
【図１４】  参考例における蝶番スピンドル部の第２変形例を示し、（Ａ）は断面図、（Ｂ）は正面図、（Ｃ）は平面図、（Ｄ）は底面図である。
【図１５】  参考例における蝶番スピンドル部の第３変形例を示し、（Ａ）は断面図、（Ｂ）は正面図、（Ｃ）は底面図である。
【図１６】  スピンドルケース本体を示し、（Ａ）は正面図、（Ｂ）は断面図、（Ｃ）は底面図である。
【図１７】  スピンドルを示し、（Ａ）はスピンドル本体片の正面図、（Ｂ）は底面図、（Ｃ）はラックギヤ片の断面図、（Ｄ）は底面図である。
【図１８】  ピニオンを示し、（Ａ）は側面図、（Ｂ）は断面図である。
【図１９】  この第３変形例の全形を示す断面図である。
【図２０】  蝶番スピンドル部の第４変形例を示す断面図である。
【図２１】  参考例における蝶番本体部の第１変形例を示し、（Ａ）は平面図、（Ｂ）は正面図、（Ｃ）は断面図である。
【図２２】  蝶番本体を示し、（Ａ）は平面図、（Ｂ）は断面図、（Ｃ）は底面図である。
【図２３】  摺動台を示し、（Ａ）は平面図、（Ｂ）は断面図、（Ｃ）は底面図である。
【図２４】  参考例における蝶番本体部の第２変形例を示す断面図である。
【図２５】  蝶番本体を示し、（Ａ）は平面図、（Ｂ）は断面図、（Ｃ）は底面図である。
【図２６】  本体カバーを示し、（Ａ）は平面図、（Ｂ）は断面図、（Ｃ）は底面図である。
【図２７】  摺動台を示し、（Ａ）は平面図、（Ｂ）は断面図、（Ｃ）は底面図である。
【図２８】  調整カムを示し、（Ａ）は平面図、（Ｂ）は正面図、（Ｃ）は底面図である。
【図２９】  メタルを示し、（Ａ）は平面図、（Ｂ）は正面図である。
【図３０】  本発明に使用する簡単な構成のメタルを示し、（Ａ）は一部破断した正面図、（Ｂ）は平面図である。
【符号の説明】
Ａ    蝶番スピンドル部
Ｂ    蝶番本体部
Ｄ    扉
Ｄａ  面取り
Ｄｈ  孔
Ｋ    開口枠
１    スピンドルケース本体
２    スピンドル
２Ａ  スピンドル本体片
２Ｂ  ラックギヤ片
３    ストッパ
４    ばね
５    ガイド
６    ばね
７    ストッパ止め輪
８    ストッパ止め輪
１０  蝶番本体
１０Ａ  蝶番本体
１０Ｂ  摺動台
１０Ｃ  カバー
１０Ｄ  調整カム
１０Ｕ，１０Ｅ  メタル
１０Ｆ  本体カバー
１１  カム
１２  軸
２６  ラックギヤ
２７  ピニオン
５０  操作片
５１  操作片
６０  ばね
６１  ストッパボール
９１  扉当て
【図１】
0004699600.tif 000002
【図２】
0004699600.tif 000003
【図３】
0004699600.tif 000004
【図４】
0004699600.tif 000005
【図５】
0004699600.tif 000006
【図６】
0004699600.tif 000007
【図７】
0004699600.tif 000008
【図８】
0004699600.tif 000009
【図９】
0004699600.tif 000010
【図１０】
0004699600.tif 000011
【図１１】
0004699600.tif 000012
【図１２】
0004699600.tif 000013
【図１３】
0004699600.tif 000014
【図１４】
0004699600.tif 000015
【図１５】
0004699600.tif 000016
【図１６】
0004699600.tif 000017
【図１７】
0004699600.tif 000018
【図１８】
0004699600.tif 000019
【図１９】
0004699600.tif 000020
【図２０】
0004699600.tif 000021
【図２１】
0004699600.tif 000022
【図２２】
0004699600.tif 000023
【図２３】
0004699600.tif 000024
【図２４】
0004699600.tif 000025
【図２５】
0004699600.tif 000026
【図２６】
0004699600.tif 000027
【図２７】
0004699600.tif 000028
【図２８】
0004699600.tif 000029
【図２９】
0004699600.tif 000030
【図３０】
0004699600.tif 000031